(57)【特許請求の範囲】
【請求項１】
建物の壁面に形成した通気口に対し挿入可能な筒状の通気口挿入部と、該通気口挿入部内に適宜に通気流路を閉塞し得るよう傾動自在に枢着された防火ダンパと、該防火ダンパを通気の流れ方向に沿うように傾動した開放位置に拘束し且つ所定温度以上となった時に溶断して前記拘束を解除するヒューズと、拘束が解除された防火ダンパを通気の流れ方向に対し直角な閉塞位置に傾動するよう付勢する弾撥体と、前記通気口挿入部の軸心方向何れの端部に対しても着脱し得るよう前記通気口挿入部とは別の部品として設けられたフランジ部と、該フランジ部を介し前記通気口挿入部の軸心方向何れかの端部に一体的に組み付けられて該端部の開口に雨水が浸入しないよう包囲するフード部とを備えたことを特徴とするベントフード。
【請求項２】
一対の防火ダンパを閉じ合わせて通気口挿入部の通気流路を開放するようにしたバタフライ方式を採用し、前記各防火ダンパの閉じ合わせた先端部同士をヒューズにより連結したことを特徴とする請求項１に記載のベントフード。
【請求項３】
各防火ダンパの両端部にダンパ平面に対し略直角な向きに屈曲したブラケットを設け、該各ブラケットを介して通気口挿入部の内周面に各防火ダンパを枢着し、該各防火ダンパを閉じ合わせた時に両者のダンパ平面間にヒューズへの通気を阻害しない流路を確保したことを特徴とする請求項２に記載のベントフード。
【発明の詳細な説明】
【０００１】
【発明の属する技術分野】
本発明は、ベントフードに関するものである。
【０００２】
【従来の技術】
一般的に、ビルや住宅などの建物の壁面に形成される通気口には、該通気口内への雨水や異物（例えば枯れ葉など）、又は虫の侵入を防ぐことを目的としてベントフードが取付けられている。
【０００３】
図９〜図１２は従来のベントフードの一例を示すもので、この種のベントフードは、建物の壁面Ａに形成された通気口に挿入可能な筒状の通気口挿入部１を備えた本体２と、該本体２の入口３を包囲して雨水の侵入を防止するフード部４と、前記本体２の入口３への異物や虫の侵入を防止する通気可能なスクリーン５とを、アルミなどの板材からプレスや押出加工により成形し、前記本体２の通気口挿入部１の一端に形成したフランジ部６と、前記フード部４の基端部に形成したフランジ部７とをスクリーン５を介在させて重ね合わせ、リベット８により一体に組付けて構成してある。
【０００４】
また、前記本体２の通気口挿入部１の外周面における周方向数箇所（三〜四箇所）には、通気口挿入部１を通気口に押し込んで固定する為の抜け止め金具９がリベット１０を介して取付けられている。
【０００５】
而して、本体２の通気口挿入部１を建物の通気口に押し込み、抜け止め金具９で通気口に固定させてベントフードを設置すれば、通気口内への雨水の侵入をフード部４により防止し、且つ通気口内への異物や虫の侵入をスクリーン５により防止しながら建物の内外間で良好に通気を行わせることができる。
【０００６】
ところが、前述した如き従来のベントフードにおいては、特に防火地域に指定された場所の建物などで用いられるベントフードに関し、図１０に示す如く、通気口挿入部１内に防火ダンパ１１を装備したものがあり、隣室が火事になったような場合に、図１１に示す如く、前記防火ダンパ１１を閉じて通気流路１２を閉塞することにより、ベントフードを通し隣室の火が天井裏へと侵入して燃え移るような事態を回避して延焼を防止するようにしてある。
【０００７】
ここで、図示した防火ダンパ１１の構造につき詳述すると、この防火ダンパ１１は、一対の防火ダンパ１１を閉じ合わせて通気口挿入部１の通気流路１２を開放するようにしたバタフライ方式となっており、通気口挿入部１の後端側における左右方向に渡した傾動軸１３に対し各防火ダンパ１１の基端部が枢着され、前記傾動軸１３に外嵌した捩りバネ１４により各防火ダンパ１１が展開する傾動方向へ付勢されている。
【０００８】
そして、図１２に示す如く、各防火ダンパ１１の閉じ合わせた先端部同士がコの字形のヒューズ１５により挟み込まれて拘束されるようになっており、このヒューズ１５は、所定温度以上となった時に鉛合金などの可溶体１５ａが溶けて分解することにより前記拘束を解除し得るようになっている。
【０００９】
【発明が解決しようとする課題】
しかしながら、斯かるベントフードにおいて、フード部４やスクリーン５を取り付ける前の組み立て段階でヒューズ１５を装着することは容易いが、一旦設置した後で何らかの事情でヒューズ１５が破損するなどして交換の必要性が生じたような場合には、屋外側からベントフードを抜き出してヒューズ１５を装着し直さなければならず、例えば、ベントフードの適用箇所がビルの高層階であったような場合には、窓拭き用のゴンドラの如き大掛かりな作業足場が必要となり、ヒューズ１５を装着するだけのために多大な手間が掛かるという不具合があった。
【００１０】
即ち、ヒューズ１５を交換するにあたっては、展開時に通気口挿入部１の後端側を閉塞するようにした各防火ダンパ１１を前方に傾動して閉じ合わせ、その閉じ合わせた先端部同士に対し前方側からヒューズ１５を装着して挟み込ませなければならないため、室内側（図１０における右側）から通気口に片手を入れてヒューズ１５を装着し直そうとしても、閉じ合わせた各防火ダンパ１１自体が邪魔になって、その前方位置まで指先を回し込むことが困難で、ましてや無理に回し込んだ指先でヒューズ１５を摘んで各防火ダンパ１１の先端部同士を挟み込ませるような手作業を各防火ダンパ１１の展開を抑えつつ行うことは、卓越した熟練作業者を除き殆ど不可能に近い作業であると言える。
【００１１】
本発明は上述の実情に鑑みてなしたもので、屋外側からのアプローチが困難な場所に適用されたベントフードに関し、室内側から容易にヒューズを装着し得るようにすることを目的としている。
【００１２】
【課題を解決するための手段】
本発明は、建物の壁面に形成した通気口に対し挿入可能な筒状の通気口挿入部と、該通気口挿入部内に適宜に通気流路を閉塞し得るよう傾動自在に枢着された防火ダンパと、該防火ダンパを通気の流れ方向に沿うように傾動した開放位置に拘束し且つ所定温度以上となった時に溶断して前記拘束を解除するヒューズと、拘束が解除された防火ダンパを通気の流れ方向に対し直角な閉塞位置に傾動するよう付勢する弾撥体と、前記通気口挿入部の軸心方向何れの端部に対しても着脱し得るよう前記通気口挿入部とは別の部品として設けられたフランジ部と、該フランジ部を介し前記通気口挿入部の軸心方向何れかの端部に一体的に組み付けられて該端部の開口に雨水が浸入しないよう包囲するフード部とを備えたことを特徴とするベントフード、に係るものである。
【００１３】
而して、例えばビルの高層階などのように屋外側からのアプローチが困難な場所にベントフードを適用する場合には、防火ダンパを開放位置に拘束するヒューズが配置されている側と反対側の通気口挿入部の端部に対してフランジ部を装着し、該フランジ部を介し前記通気口挿入部の端部にフード部を組み付け、ヒューズの配置側の端部から通気口に対し通気口挿入部を挿入してベントフードの取り付けを行う。
【００１４】
このようにすれば、通気口挿入部の室内側に向いた端部近傍にヒューズが配置されることになるので、防火ダンパを避けて該防火ダンパの前方位置まで指先を回し込むような困難な手作業を行わなくても、室内側から通気口に片手を入れて通気口挿入部の室内側に向いた端部近傍で簡単にヒューズを装着し直すことが可能となる。
【００１５】
尚、屋外側からのアプローチが容易な場所にベントフードを適用する場合には、従来と同様に、通気口挿入部におけるヒューズの配置側の端部にフランジ部を装着するようにすれば良く、このようにした場合には、従来と同様に、フランジ部を取り付けた端部の開口に面してヒューズが配置されることになり、隣室からの火が通気口挿入部内に侵入しようとした際に直ちにヒューズが過熱して溶断するので、防火ダンパの作動信頼性がより高く維持されることになる。
【００１６】
また、本発明においては、一対の防火ダンパを閉じ合わせて通気口挿入部の通気流路を開放するようにしたバタフライ方式を採用し、前記各防火ダンパの閉じ合わせた先端部同士をヒューズにより連結することが可能であり、このようにした場合には、各防火ダンパの両端部にダンパ平面に対し略直角な向きに屈曲したブラケットを設け、該各ブラケットを介して通気口挿入部の内周面に各防火ダンパを枢着し、該各防火ダンパを閉じ合わせた時に両者のダンパ平面間にヒューズへの通気を阻害しない流路を確保するようにすることが好ましい。
【００１７】
即ち、このようにすれば、各防火ダンパを閉じ合わせた時に両者のダンパ平面間にヒューズへの通気を阻害しない流路が確保されるので、先に述べた如く、通気口挿入部の室内側に向いた端部近傍にヒューズが配置されるようにしても、隣室からの火の熱が各防火ダンパにより遮られてヒューズが過熱し難くなるような事態が回避されることになり、防火ダンパの作動信頼性を高く維持することが可能となる。
【００１８】
【発明の実施の形態】
以下本発明の実施の形態を図面を参照しつつ説明する。
【００１９】
図１〜図８は本発明を実施する形態の一例を示すもので、本形態例の特徴とするところは、フード部４を図示しないスクリーン（ダイカスト製法などによりフード部とスクリーンとを一体成形することも可）を介装して取り付けるためのフランジ部１６を通気口挿入部１７とは別の部品として独立して設け、該通気口挿入部１７の軸心方向何れの端部に対してもフランジ部１６を着脱し得るようにした点にある。
【００２０】
より具体的には、図１に本形態例の平面断面図を、図２に正面図を、図３にフランジ部１６の斜視図を、図４に通気口挿入部１７の斜視図を夫々示す如く、通気口挿入部１７の軸心方向における一方の端部に、その上下位置から半径方向内向きに張り出すようにした受け座１８を形成すると共に、フランジ部１６の内周部上下位置にも前記各受け座１８に対応するように取付面１９を形成し、該各取付面１９と前記各受け座１８とを合致させてリベット２０により締結し得るようにしてあり、また、通気口挿入部１７の軸心方向における他方の端部に近い内周部には、前記フランジ部１６の各取付面１９に対応するように複数（図示では合計４つ）のＬ字形を成すブラケット２１を取り付け、該各ブラケット２１の起立部２２に対し前記フランジ部１６の各取付面１９を合致させてリベット（図示せず）により締結し得るようにしてある。
【００２１】
更に、前記通気口挿入部１７内には、適宜に通気流路１２を閉塞し得るようバタフライ方式を採用した左右一対の防火ダンパ２３が傾動自在に枢着されており、該各防火ダンパ２３を閉じ合わせて通気口挿入部１７の通気流路１２を開放するようにしてある。
【００２２】
ここで、各防火ダンパ２３の上下両端部には、ダンパ平面に対し略直角な向きに屈曲したブラケット２４が設けられており、該各ブラケット２４を介して通気口挿入部１７の内周面に対し各防火ダンパ２３が枢着されるようになっており、該各防火ダンパ２３を閉じ合わせた時に両者のダンパ平面間にヒューズ２８への通気を阻害しない流路ｘが確保されるようにしてある（特に図２参照）。
【００２３】
そして、一方の防火ダンパ２３の基端部には、各防火ダンパ２３の傾動中心と平行に延びるアーム部２５を支持するようにしたバネホルダ２６（特に図２参照）が取り付けられており、該バネホルダ２６のアーム部２５には、各防火ダンパ２３を通気の流れ方向に対し直角な閉塞位置に傾動するよう付勢する捩りバネ２７が装着されている。
【００２４】
また、他方の防火ダンパ２３の基端部には、各防火ダンパ２３が展開した際に隣接する両者の基端部間の隙間を塞ぐ被覆部２３ａが装備されている。
【００２５】
更に、前記各防火ダンパ２３の閉じ合わせた先端部同士がヒューズ２８により連結されるようになっており、該ヒューズ２８により前記各防火ダンパ２３が通気の流れ方向に沿うように傾動した開放位置に拘束されるようにしてある。
【００２６】
即ち、各防火ダンパ２３の先端部には、両者を閉じ合わせた際に相対するようダンパ平面に対し略直角に屈曲し且つ所要位置に掛止爪２９を切り起こした突出部３０が設けられており、該各突出部３０の掛止爪２９に対しヒューズ２８の両端部に開けた掛止孔３１（図５参照）を係合し得るようにしてある。
【００２７】
また、図５に示す如く、前記ヒューズ２８は、短冊状の二枚の銅板を鉛合金などの低融点合金から成る可溶体２８ａで接合したものであり、所定温度以上で可溶体２８ａが溶けて溶断するようになっている。
【００２８】
尚、図中３２はフード部４をフランジ部１６に組み付ける際に同じビス３３で取り付け得るようにした抜け止め金具を示す。
【００２９】
而して、例えばビルの高層階などのように屋外側からのアプローチが困難な場所にベントフードを適用する場合には、図１に示す如く、防火ダンパ２３を開放位置に拘束するヒューズ２８が配置されている側と反対側の通気口挿入部１７の端部に対してフランジ部１６を装着し、該フランジ部１６を介し前記通気口挿入部１７の端部にフード部４を組み付け、ヒューズ２８の配置側の端部から通気口に対し通気口挿入部１７を挿入してベントフードの取り付けを行う。
【００３０】
このようにすれば、通気口挿入部１７の室内側に向いた端部近傍にヒューズ２８が配置されることになるので、防火ダンパ２３を避けて該防火ダンパ２３の前方位置まで指先を回し込むような困難な手作業を行わなくても、室内側から通気口に片手を入れて通気口挿入部１７の室内側に向いた端部近傍で簡単にヒューズ２８を装着し直すことが可能となる。
【００３１】
尚、本形態例における防火ダンパ２３の作動自体は従来のものと略同様であり、隣室が火事になったような場合に、ヒューズ２８が過熱して溶断すると、図６及び図７に示す如く、捩りバネ２７の付勢力により各防火ダンパ２３が展開して通気口挿入部１７内の通気流路１２が閉塞され、ベントフードを通し隣室の火が天井裏へと侵入して燃え移るような事態が回避されることになる。
【００３２】
また、屋外側からのアプローチが容易な場所にベントフードを適用する場合には、従来と同様に、図８に示す如く、通気口挿入部１７の向きを逆にして、該通気口挿入部１７におけるヒューズ２８の配置側の端部にフランジ部１６を装着するようにすれば良く、このようにした場合には、従来と同様に、フランジ部１６を取り付けた端部の開口に面してヒューズ２８が配置されることになり、隣室からの火が通気口挿入部１７内に侵入しようとした際に直ちにヒューズ２８が過熱して溶断するので、防火ダンパ２３の作動信頼性がより高く維持されることになる。
【００３３】
更に、特に本形態例においては、一対の防火ダンパ２３を閉じ合わせて通気口挿入部１７の通気流路を開放するようにしたバタフライ方式を採用し、各防火ダンパ２３を閉じ合わせた時に両者のダンパ平面間にヒューズ２８への通気を阻害しない流路が確保されるようにしているので、先に述べた如く、通気口挿入部１７の室内側に向いた端部近傍にヒューズ２８が配置されるようにしても、隣室からの火の熱が各防火ダンパ２３により遮られてヒューズ２８が過熱し難くなるような事態が回避されることになり、防火ダンパ２３の作動信頼性を高く維持することが可能である。
【００３４】
従って、上記形態例によれば、屋外側からのアプローチが困難な場所に適用されたベントフードに対し室内側から容易にヒューズ２８を装着することができるので、例えば、ベントフードの適用箇所がビルの高層階であったような場合でも、窓拭き用のゴンドラの如き大掛かりな作業足場を不要とすることができ、ヒューズ２８の交換作業に要する手間を従来より大幅に軽減することができる。
【００３５】
尚、本発明のベントフードは、上述の形態例にのみ限定されるものではなく、一枚の防火ダンパを傾動して通気流路を閉塞し得るようにした開閉方式を採用したものにも適用して良いこと、その他、本発明の要旨を逸脱しない範囲内において種々変更を加え得ることは勿論である。
【００３６】
【発明の効果】
上記した本発明のベントフードによれば、屋外側からのアプローチが困難な場所に適用されたベントフードに対し室内側から容易にヒューズを装着することができるので、ヒューズの交換作業に要する手間を従来より大幅に軽減することができるという優れた効果を奏し得る。
【図面の簡単な説明】
【図１】本発明を実施する形態の一例を示す平面断面図である。
【図２】図１のＩＩ−ＩＩ方向から見た図を９０°回転した正面図である。
【図３】図１のフランジ部の斜視図である。
【図４】図１の通気口挿入部の斜視図である。
【図５】図１のヒューズの正面図である。
【図６】図１の各防火ダンパが展開した状態を示す平面断面図である。
【図７】図６のＶＩＩ−ＶＩＩ方向から見た図を９０°回転した正面図である。
【図８】図１の通気口挿入部の向きを逆にしてフランジ部を取り付けた状態を示す平面断面図である。
【図９】従来例を示す斜視図である。
【図１０】図９の側面断面図である。
【図１１】図１０のＸＩ−ＸＩ方向から見た各防火ダンパの展開状態を示す図である。
【図１２】図１０のＸＩＩ−ＸＩＩ方向矢視の断面図である。
【符号の説明】
４          フード部
１１          防火ダンパ
１２          通気流路
１６          フランジ部
１７          通気口挿入部
２３          防火ダンパ
２４          ブラケット
２７          捩りバネ（弾撥体）
２８          ヒューズ
【図１】
0004132390.tif 000002
【図２】
0004132390.tif 000003
【図３】
0004132390.tif 000004
【図４】
0004132390.tif 000005
【図５】
0004132390.tif 000006
【図６】
0004132390.tif 000007
【図７】
0004132390.tif 000008
【図８】
0004132390.tif 000009
【図９】
0004132390.tif 000010
【図１０】
0004132390.tif 000011
【図１１】
0004132390.tif 000012
【図１２】
0004132390.tif 000013